(57)【要約】【課題】頭皮や顔面にマイクロナノバブルを十分に接触させられる装置および方法を提供する。【解決手段】本発明による装置は、給湯器２から供給された湯水１を貯留するマイクロナノバブル発生槽３と、マイクロナノバブル発生槽３に貯留された湯水に空気を導入してマイクロナノバブルを発生させる第１のマイクロナノバブル発生機１０と、第１のマイクロナノバブル発生機１０が発生したマイクロナノバブルを含む湯水を吸い込んで、さらに空気を導入してマイクロナノバブルを発生させるとともに、第１のマイクロナノバブル発生機１０が発生したマイクロナノバブルを微細化する第２のマイクロナノバブル発生機４とを含むマイクロナノバブル発生装置と、マイクロナノバブル発生槽３内に貯留する湯水をシャワーノズルに送出する送出ポンプ６とを有するシャワー装置である。【選択図】図３
2008104609.tif 000002
【特許請求の範囲】
【請求項１】
給湯器から供給された湯水を貯留するマイクロナノバブル発生槽と、
前記マイクロナノバブル発生槽内に貯留する前記湯水にマイクロナノバブルを導入するマイクロナノバブル発生装置と、
前記マイクロナノバブル発生槽内に貯留する前記湯水をシャワーノズルに送出する送出ポンプとを有することを特徴とするシャワー装置。
【請求項２】
前記マイクロナノバブル発生装置は、前記マイクロナノバブル発生槽に貯留された前記湯水に空気を導入してマイクロナノバブルを発生させる第１のマイクロナノバブル発生機と、
前記第１のマイクロナノバブル発生機が発生したマイクロナノバブルを含む前記湯水を吸い込んで、さらに空気を導入してマイクロナノバブルを発生させるとともに、前記第１のマイクロナノバブル発生機が発生したマイクロナノバブルを微細化する第２のマイクロナノバブル発生機とを含むことを特徴とする請求項１に記載のシャワー装置。
【請求項３】
前記マイクロナノバブル発生槽は、下側から前記湯水が供給され、前記第１のマイクロナノバブル発生機の上方に前記第２のマイクロナノバブル発生機が設置されていることを特徴とする請求項２に記載のシャワー装置。
【請求項４】
前記第１のマイクロナノバブル発生機は、回転撹拌方式のマイクロナノバブル発生機であることを特徴とする請求項２または３に記載のシャワー装置。
【請求項５】
前記第２のマイクロナノバブル発生機は、旋回流方式のマイクロナノバブル発生機であることを特徴とする請求項２から４のいずれかに記載のシャワー装置。
【請求項６】
前記第２のマイクロナノバブル発生機は、加圧溶解ポンプ方式のマイクロナノバブル発生機であることを特徴とする請求項２から４のいずれかに記載のシャワー装置。
【請求項７】
前記第２のマイクロナノバブル発生機は、コンプレッサ加圧方式のマイクロナノバブル発生機であることを特徴とする請求項２から４のいずれかに記載のシャワー装置。
【請求項８】
前記第２のマイクロナノバブル発生機は、ノズル噴射方式のマイクロナノバブル発生機であることを特徴とする請求項２から４のいずれかに記載のシャワー装置。
【請求項９】
前記第２のマイクロナノバブル発生機の吸込口を、前記第１のマイクロナノバブル発生機と前記第２のマイクロナノバブル発生機との間に設けたことを特徴とする請求項２から８のいずれかに記載のシャワー装置。
【請求項１０】
前記第２のマイクロナノバブル発生機は、循環ポンプを用いるマイクロナノバブル発生機であり、前記送出ポンプが、前記第２のマイクロナノバブル発生機の循環ポンプを兼ねることを特徴とする請求項２から９のいずれかに記載のシャワー装置。
【請求項１１】
前記送出ポンプの吐出側が分岐し、浴槽および洗濯機の少なくともいずれかに前記湯水を供給可能であることを特徴とする請求項１から１０のいずれかに記載のシャワー装置。
【請求項１２】
前記マイクロナノバブル発生槽に貯留する前記湯水の濁度を計測する濁度計と、
前記濁度計の測定値に応じて、前記湯水に界面活性剤を投入する界面活性剤投入装置を有することを特徴とする請求項１から１１のいずれかに記載のシャワー装置。
【請求項１３】
前記界面活性剤は、シャンプーであることを特徴とする請求項１２に記載のシャワー装置。
【請求項１４】
前記界面活性剤は、ボディソープであることを特徴とする請求項１２に記載のシャワー装置。
【請求項１５】
前記送出ポンプの吐出側が分岐され、前記送出ポンプが吐出した湯水の少なくとも一部分が前記マイクロナノバブル発生槽の下部に環流され、
前記マイクロナノバブル発生槽は、前記送出ポンプから湯水が環流される部分と前記マイクロナノバブル発生装置との間に、前記湯水の不純物を吸着する付着剤を保持することを特徴とする請求項１から１４のいずれかに記載のシャワー装置。
【請求項１６】
前記付着剤は、リング状のポリ塩化ビニリデンであることを特徴とする請求項１５に記載のシャワー装置。
【請求項１７】
前記付着剤は、ひも状のポリ塩化ビニリデンであることを特徴とする請求項１５に記載のシャワー装置。
【請求項１８】
給湯器から供給される湯水を、マイクロナノバブル発生槽の下部から供給して貯留し、
第１のマイクロナノバブル発生機によって、前記マイクロナノバブル発生槽に貯留された前記湯水に空気を導入してマイクロナノバブルを発生させ、
前記第１のマイクロナノバブル発生機の上方に設けた第２のマイクロナノバブル発生機によって、前記第１のマイクロナノバブル発生機が発生したマイクロナノバブルを含む前記湯水にさらに空気を導入してマイクロナノバブルを発生させるとともに、前記第１のマイクロナノバブル発生機が発生したマイクロナノバブルを微細化し、
前記第２のマイクロナノバブル発生機がマイクロナノバブルを導入した湯水をシャワーノズルから散水することを特徴とするシャワー方法。
【請求項１９】
前記マイクロナノバブル発生槽に入浴剤を投入することを特徴とする請求項１８に記載のシャワー方法。
【発明の詳細な説明】
【技術分野】
【０００１】
本発明は、シャワー装置およびシャワー方法に関する。
【背景技術】
【０００２】
特許文献１には、マイクロナノバブルを含む湯水に入浴することで疲労回復の効果がある旨の記載がある。また、マイクロナノバブルを導入した湯水に入浴することで血流を改善でき、糖尿病患者の脚先の壊疽等を防止できることが知られている。さらに、貯留する湯水にマイクロナノバブルを導入できる浴槽も市販されている。
【０００３】
このような血流改善効果は、マイクロナノバブルの径が小さい方が効果的であるが、一般に、小径のマイクロナノバブルを発生させられるマイクロナノバブル発生装置は導入可能な空気量が少ない。小径のマイクロナノバブルを発生させる装置として知られている旋回流方式のマイクロナノバブル発生機を例にとると、１つの浴槽に１０台ものマイクロナノバブル発生装置を設けた実例がある。
【０００４】
また、マイクロナノバブルは、抜け毛予防や育毛促進、或いは、顔のしわや弛みの改善にも効果があることが報告されている。しかしながら、マイクロナノバブルを発生する浴槽に顔や頭を長時間浸漬するためには特別な努力が必要であり、衛生的観点からも現実的とは言い難い。
【０００５】
【特許文献１】特開２００４−１２１９６２号公報
【非特許文献１】上山智嗣、宮本誠著「マイクロバブルの世界  水と気体の織りなす力」工業調査会、２００６年２月発行
【発明の開示】
【発明が解決しようとする課題】
【０００６】
そこで、前記問題点に鑑みて、頭皮や顔面にマイクロナノバブルを十分に接触させられる装置および方法を提供することを課題とする。
【課題を解決するための手段】
【０００７】
前記課題を解決するために、本発明による装置は、給湯器から供給された湯水を貯留するマイクロナノバブル発生槽と、前記マイクロナノバブル発生槽内に貯留する前記湯水にマイクロナノバブルを導入するマイクロナノバブル発生装置と、前記マイクロナノバブル発生槽内に貯留する前記湯水をシャワーノズルに送出する送出ポンプとを有するシャワー装置とする。
【０００８】
この構成によれば、マイクロナノバブルを含有する湯水をシャワー水として浴びることができるので、日常の洗髪や洗顔をするだけで、多量のマイクロナノバブルを頭皮や顔面に接触させることができ、育毛効果や美容効果が得られる。
【０００９】
また、本発明のシャワー装置において、前記マイクロナノバブル発生装置は、前記マイクロナノバブル発生槽に貯留された前記湯水に空気を導入してマイクロナノバブルを発生させる第１のマイクロナノバブル発生機と、前記第１のマイクロナノバブル発生機が発生したマイクロナノバブルを含む前記湯水を吸い込んで、さらに空気を導入してマイクロナノバブルを発生させるとともに、前記第１のマイクロナノバブル発生機が発生したマイクロナノバブルを微細化する第２のマイクロナノバブル発生機とを含んでもよい。
【００１０】
この構成によれば、第１のマイクロナノバブル発生機が湯水中に導入したマイクロナノバブルを、第２のマイクロナノバブル発生機でさらに微細化することができる。よって、第１のマイクロナノバブル発生機に、比較的バブル径が大きく、導入空気量の大きなものを適用して、第２のマイクロナノバブル発生機で所望の大きさまで微細化するように構成することで、所望のサイズのマイクロナノバブルを大量に発生させることができる。したがって、このシャワー装置を用いることで、頭皮や顔面に多量のマイクロナノバブルを接触させられるので、育毛効果や顔面の美容効果が期待できる。
【００１１】
また、本発明のシャワー装置において、前記マイクロナノバブル発生槽は、下側から前記湯水が供給され、前記第１のマイクロナノバブル発生機の上方に前記第２のマイクロナノバブル発生機が設置されていてもよい。
【００１２】
この構成によれば、給湯器から供給される湯水が、先ず、前記第１のマイクロナノバブル発生機に供給され、続いて、前記第１のマイクロナノバブル発生機でから吐出された湯水が前記第２のマイクロナノバブル発生機に導入されるような、前記マイクロナノバブル発生槽内での湯水の流れを形成できる。
【００１３】
また、本発明のシャワー装置において、前記第１のマイクロナノバブル発生機は、回転撹拌方式のマイクロナノバブル発生機であってもよい。
【００１４】
回転撹拌方式のマイクロナノバブル発生機は、比較的径が大きいマイクロナノバブルしか生成できないが、湯水中に大量のマイクロナノバブルを導入することができる。これらのマイクロナノバブルは、第２のマイクロナノバブル発生機において、さらに微細化されて、十分な量、且つ、十分に小径のマイクロナノバブルになる。
【００１５】
また、本発明のシャワー装置において、前記第２のマイクロナノバブル発生機は、旋回流方式、加圧溶解ポンプ方式、コンプレッサ加圧方式またはノズル噴射方式のマイクロナノバブル発生機であってもよい。
【００１６】
この構成によれば、第２のマイクロナノバブル発生機が、湯水に微細なマイクロナノバブルを導入しつ、第１のマイクロナノバブル発生機が導入したマイクロナノバブルをさらに微細化することで、小径のマイクロナノバブルを十分な数量だけ得ることができる。
【００１７】
また、本発明のシャワー装置において、前記第２のマイクロナノバブル発生機の吸込口を、前記第１のマイクロナノバブル発生機と前記第２のマイクロナノバブル発生機との間に設けてもよい。
【００１８】
この構成によれば、第１のマイクロナノバブル発生機が生成したマイクロナノバブルを、第２のマイクロナノバブル発生機が効率よく吸い込んで微細化することができる。
【００１９】
また、本発明のシャワー装置において、前記第２のマイクロナノバブル発生機は、循環ポンプを用いるマイクロナノバブル発生機であり、前記送出ポンプが、前記第２のマイクロナノバブル発生機の循環ポンプを兼ねてもよい。
【００２０】
この構成によれば、装置が簡略化できる。
【００２１】
また、本発明のシャワー装置において、前記送出ポンプの吐出側が分岐し、浴槽および洗濯機の少なくともいずれかに前記湯水を供給可能であってもよい。
【００２２】
この構成によれば、マイクロナノバブルを含む湯水に入浴することで血行促進効果を得たり、マイクロナノバブル含有水で洗濯をすることで洗浄効果を高めることができる。
【００２３】
また、本発明のシャワー装置は、前記マイクロナノバブル発生槽に貯留する前記湯水の濁度を計測する濁度計と、前記濁度計の測定値に応じて、前記湯水に界面活性剤を投入する界面活性剤投入装置を有してもよく、前記界面活性剤は、シャンプーまたはボディソープであってもよい。
【００２４】
この構成によれば、濁度計でマイクロナノバブルの発生状況を確認し、界面活性剤を投入してマイクロナノバブルの発生しやすさを調整することで、適切な量のマイクロナノバブルを生成できることを保証する。また、界面活性剤としてシャンプーまたはボディソープを使用すば人体にも優しい。
【００２５】
また、本発明のシャワー装置において、前記送出ポンプの吐出側が分岐され、前記送出ポンプが吐出した湯水の少なくとも一部分が前記マイクロナノバブル発生槽の下部に環流され、前記マイクロナノバブル発生槽は、前記送出ポンプから湯水が環流される部分と前記マイクロナノバブル発生装置との間に、前記湯水の不純物を吸着する付着剤、好ましくは、リング状のポリ塩化ビニリデンまたはひも状のポリ塩化ビニリデンを保持してもよい。
【００２６】
この構成によれば、この構成によれば、湯水中の灰汁を除去することができる。
【００２７】
また、本発明による頭皮や顔面にマイクロナノバブルを十分に接触させる方法は、給湯器から供給される湯水を、マイクロナノバブル発生槽の下部から供給して貯留し、第１のマイクロナノバブル発生機によって、前記マイクロナノバブル発生槽に貯留された前記湯水に空気を導入してマイクロナノバブルを発生させ、前記第１のマイクロナノバブル発生機の上方に設けた第２のマイクロナノバブル発生機によって、前記第１のマイクロナノバブル発生機が発生したマイクロナノバブルを含む前記湯水にさらに空気を導入してマイクロナノバブルを発生させるとともに、前記第１のマイクロナノバブル発生機が発生したマイクロナノバブルを微細化し、前記第２のマイクロナノバブル発生機がマイクロナノバブルを導入した湯水をシャワーノズルから散水する方法とする。
【００２８】
この方法によれば、第１のマイクロナノバブル発生機が湯水中に導入したマイクロナノバブルを第２のマイクロナノバブル発生機でさらに微細化して、所望のサイズのマイクロナノバブルを大量に発生させて、これらのマイクロナノバブルを含む湯水を散水する。よって、シャワー散水されるマイクロナノバブルを豊富に含んだ湯水を日常の洗髪や洗顔に用いることができ、頭皮や顔面に多量のマイクロナノバブルを接触させられるので、育毛効果や顔面の美容効果が期待できる。
【００２９】
また、本発明によるシャワー方法において、前記マイクロナノバブル発生槽に入浴剤を投入してもよい。
【発明の効果】
【００３０】
本発明によれば、マイクロナノバブル発生槽において湯水にマイクロナノバブルを導入して、マイクロナノバブルを含有する湯水をシャワー水として浴びることができるので、日常の洗髪や洗顔をするだけで、多量のマイクロナノバブルを頭皮や顔面に接触させることができ、育毛効果や美容効果が得られる。
【発明を実施するための最良の形態】
【００３１】
これより、本発明の実施形態について、図面を参照しながら説明する。
図１に、本発明の第１実施形態のシャワー装置１を示す。シャワー装置１は、給湯器２から湯水（温水または冷水）が供給されるマイクロナノバブル発生槽３からなる。マイクロナノバブル発生槽３は、底部から供給された湯水を貯留し、マイクロナノバブル発生装置として、貯留する湯水の中に旋回流方式マイクロナノバブル発生機４と、貯留する湯水を吸い出して湯水調整弁５を介して旋回流方式マイクロナノバブル発生機４に供給する循環ポンプ６とを備える。
【００３２】
旋回流方式マイクロナノバブル発生機４は、循環ポンプ６から供給された湯水にその吐出圧によって高速な旋回流を形成させ、流速によって生じる負圧により空気調整弁７を介して空気を自吸して湯水に導入し、湯水の旋回流によって空気を剪断してマイクロナノバブルを生成し、マイクロナノバブルを含む湯水をマイクロナノバブル発生槽３内に吐出する。
【００３３】
旋回流方式マイクロナノバブル発生機４は、例えば、直径０．１〜５０μｍ程度のマイクロナノバブルを、空気量にして毎分約１リットル導入することができる。
【００３４】
マイクロナノバブル発生槽３内の湯水は、循環ポンプ６によって吸い出され、旋回流方式マイクロナノバブル発生機４においてマイクロナノバブルを導入されて環流されることで、全体的にマイクロナノバブルを十分に含むようになる。
【００３５】
また、循環ポンプ６は、吐出側の流路が分岐しており、マイクロナノバブル発生槽３内の湯水を操作弁７を介してシャワーノズル８に送出する送出ポンプとしても兼用される。つまり、操作弁７を開放することで、マイクロナノバブル発生槽３内のマイクロナノバブルを含む湯水の一部がシャワーノズル８から散水されることになる。
【００３６】
人体にマイクロナノバブルを含んだ湯水を浴びせることで、マイクロナノバブルが人体に作用して、血流を増大させる等の効果がある。特に、シャワーノズル８から散水させることで、洗髪や洗顔にマイクロナノバブルを含んだ湯水を用いることができる。このため、頭皮にマイクロナノバブルを接触させて育毛を促進したり、顔面にマイクロナノバブルを接触させてしわや弛みの予防や改善をすることができる。
【００３７】
続いて、図２に、本発明の第２実施形態のシャワー装置１を示す。以降の説明において、先に説明した構成要素と同じ構成要素には同じ符号を付して説明を省略する。本実施形態のマイクロナノバブル発生装置は、回転撹拌方式マイクロナノバブル発生機１０とブロワー１１とを含む。
【００３８】
回転撹拌方式マイクロナノバブル発生機１０は、インペラの回転により、マイクロナノバブル発生槽３内の湯水を自吸して遠心力により外周方向に吐出する。回転撹拌方式マイクロナノバブル発生機１０は、空気を自吸することができないので、ブロワー１１が設けられ、空気調整弁１２を介して、回転撹拌方式マイクロナノバブル発生機１０が吸い込んだ湯水に強制的に空気を導入するようになっている。
【００３９】
また、本実施形態のマイクロナノバブル発生装置１は、マイクロナノバブル発生槽３内の湯水をシャワーノズル８に送出するために、独立した送出ポンプ１３が設けられ、送出した湯水の少なくとも一部分が調整弁１４を介してマイクロナノバブル発生槽３に環流されるようになっている。
【００４０】
回転撹拌方式マイクロナノバブル発生機１０は、インペラにより湯水を空気とともに回転撹拌することで、空気を微細化してマイクロナノバブルを生成する。こうして、マイクロナノバブルが導入された湯水は、回転撹拌方式マイクロナノバブル発生機１０の全周から略水平方向に噴出する。
【００４１】
回転撹拌方式マイクロナノバブル発生機１０は、例えば、直径５０〜１００μｍ程度のマイクロナノバブルを、空気量にして毎分約５リットル導入することができる。
【００４２】
本実施形態のシャワー装置１によっても、マイクロナノバブルを含んだ湯水を洗髪や洗顔に用いることができ、育毛促進効果や美容効果が期待できる。
【００４３】
図３に、本発明の第３実施形態のシャワー装置１を示す。本実施形態のシャワー装置１は、マイクロナノバブル発生装置として、第１のマイクロナノバブル発生機と第１のマイクロナノバブル発生機の上方に設けられた第２のマイクロナノバブル発生機とを含んでいる。第１のマイクロナノバブル発生機は、第２実施形態のマイクロナノバブル発生装置と同じ回転撹拌方式マイクロナノバブル発生機１０であり、第２のマイクロナノバブル発生機は、第１実施形態のマイクロナノバブル発生装置と同じ旋回流方式マイクロナノバブル発生機４である。
【００４４】
本実施形態のマイクロナノバブル発生装置は、給湯器２から給水された湯水に、先ず、回転撹拌方式マイクロナノバブル発生機（第１のマイクロナノバブル発生機）１０で、やや大きめのマイクロナノバブルを導入し、続いて、旋回流方式マイクロナノバブル発生機（第２のマイクロナノバブル発生機）４で、さらなる空気を導入して剪断し、マイクロナノバブルを生成するとともに、既に回転撹拌方式マイクロナノバブル発生機１０によって湯水中に導入されている大きめのマイクロナノバブルをさらに剪断して微細なマイクロナノバブルに分割する。
【００４５】
つまり、旋回流方式マイクロナノバブル発生機４にその自吸能力を超えた空気を、回転撹拌方式マイクロナノバブル発生機１０が大きめのマイクロナノバブルとして供給することで、回転撹拌方式マイクロナノバブル発生機１０単体では生成できないような微細なマイクロナノバブルを、旋回流方式マイクロナノバブル発生機４単体では生成できないほど多量に発生させることができる。
【００４６】
例えば、回転撹拌方式マイクロナノバブル発生機１０の空気導入量が毎分５リットルであり、旋回流方式マイクロナノバブル発生機４の空気導入量が毎分１リットルであるとき、本実施形態のマイクロナノバブル発生装置は、直径５０μｍ以下のマイクロナノバブルを、空気量にして毎分６リットルも発生させることができるのである。
【００４７】
また、本実施形態に示されるように、給湯器２からの給水を、回転撹拌方式マイクロナノバブル発生機（第１のマイクロナノバブル発生機）１０より下側に導入するようにし、循環ポンプ６の吸込口、つまり、旋回流方式マイクロナノバブル発生機（第２のマイクロナノバブル発生機）４の吸込口を、第１のマイクロナノバブル発生機１０と第２のマイクロナノバブル発生機４との間に設けることで、新たに供給されたマイクロナノバブルを含まない湯水を、先ず、第１のマイクロナノバブル発生機１０に供給し、第１のマイクロナノバブル発生機１０がマイクロナノバブルを導入した湯水を第２のマイクロナノバブル発生機４に供給することを確実にすることができる。
【００４８】
このように、本実施形態のマイクロナノバブル発生装置は、２種類のマイクロナノバブル発生機１０，４を組み合わせることで、比較的設備が簡単で低コストであるにもかかわらず、微細なマイクロナノバブルを多量に発生させることができ、十分な量の湯水をシャワーノズル８から散水して使用することができる。
【００４９】
図４に、本発明の第４実施形態のシャワー装置１を示す。本実施形態のシャワー装置１は、マイクロナノバブル発生槽３に貯留する湯水に手動バルブ１５を操作することで界面活性剤を投入可能な界面活性剤容器１６を備える。
【００５０】
湯水に界面活性剤を投入すると、界面活性作用によって、イクロナノバブルが発生しやすくなる。そこで、シャワーを浴びる者は、手動バルブを操作することによって、より多くのマイクロナノバブルを含んだ湯水のシャワーを浴びることができる。なお、界面活性剤は、人体に優しい、シャンプーやボディソープを用いることができる。
【００５１】
図５に、本発明の第５実施形態のシャワー装置１を示す。本実施形態のシャワー装置１は、マイクロナノバブル発生槽３に貯留する湯水の濁度を測定する濁度計１７が設けられ、界面活性剤タンク１６は、コントローラ１８によって制御される投入ポンプ１９を有し、濁度計１７の測定値に応じて、界面活性剤をマイクロナノバブル発生槽３に貯留する湯水に投入する界面活性剤投入装置を構成している。
【００５２】
湯水中のマイクロナノバブルが多くなると、湯水は白濁してくる。よって、濁度計１７によって湯水中のマイクロナノバブルの量を測定することができる。マイクロナノバブルの量が足りない場合、コントローラ１８はポンプ１９を駆動して、湯水中に界面活性剤を投入させる。界面活性剤を投入することにより、マイクロナノバブルの発生効率が高くるので、マイクロナノバブルの量を所定量以上に維持することができる。
【００５３】
図６に、本発明の第６実施形態のシャワー装置１を示す。本実施形態のシャワー装置１は、循環ポンプ６と独立して、送出ポンプ１３が設けられている。
【００５４】
循環ポンプ６と送出ポンプ１３とを独立して設けることで、旋回流方式マイクロナノバブル発生機４の吐出量が一定になり、マイクロナノバブルの発生状態を一定に維持することができる。
【００５５】
図７に、本発明の第７実施形態のシャワー装置１を示す。本実施形態のシャワー装置１は、循環ポンプ６の吐出側がさらに分岐し、環流弁２０を介してマイクロナノバブル発生槽３の下部（底部）に湯水が環流されるようになっている。
【００５６】
また、マイクロナノバブル発生槽３の、給湯器２から湯水が供給され、循環ポンプ６から湯水が環流される下部と、回転撹拌方式マイクロナノバブル発生機１０との間に、多孔板２１で挟み込むようにして、リング状のポリ塩化ビニリデン２２からなる付着剤が保持されている。
【００５７】
リング型のポリ塩化ビニリデン２２は、界面活性剤の投入等によって発生する灰汁を吸着して、湯水を清浄に維持する。
【００５８】
また、本実施形態のシャワー装置１は、投入ポンプ２３を備えるシャンプー容器２４と、投入ポンプ２５を備えるボディソープ容器２６とを有している。
【００５９】
図８に、本発明の第８実施形態のシャワー装置１を示す。本実施形態のシャワー装置１は、第７実施形態のリング状のポリ塩化ビニリデンからなる付着剤２２に替えて、ひも状のポリ塩化ビニリデン２７からなる付着剤が保持されている。また、本実施形態の循環ポンプ６の吸込口は、回転撹拌方式マイクロナノバブル発生機１０の下方に設けられている。
【００６０】
本実施形態が示すように、湯水を清浄に維持するための付着剤は、ひも状のポリ塩化ビニリデン２７であってもよく。また、その他のいかなる付着剤であってもよい。また、循環ポンプ６の吸水口は、マイクロナノバブル発生槽３の何処に設けもよい。
【００６１】
図９に、本発明の第９実施形態のシャワー装置１を示す。本実施形態のシャワー装置１は、送出ポンプ１３の吐出側が分岐して、バルブ２８，２９を介して、浴槽および洗濯機にも、マイクロナノバブルを含んだ湯水を送出できるようになっている。また、図９は、マイクロナノバブル発生槽３に入浴剤を投入できることを示している。
【００６２】
本実施形態では、マイクロナノバブルを含む湯水に入浴することで血行促進効果を得たり、マイクロナノバブル含有水で洗濯をすることで洗浄効果を高めることができる。
【００６３】
以上の実施形態においては、第２のマイクロナノバブル発生機４が旋回流方式のマイクロナノバブル発生装置である例を説明したが、第２のマイクロナノバブル発生機４は、渦流タービンポンプを用いた加圧溶解ポンプ方式、気体をコンプレッサで加圧してマイクロナノバブルを発生させる加圧ポンプ方式、および、加圧溶解した水を噴射装置を通して乱流にすることで気泡を析出させるノズル噴射方式のいずれの方式のマイクロナノバブル発生機を適用してもよい。
【図面の簡単な説明】
【００６４】
【図１】本発明の第１実施形態のシャワー装置の概略図。
【図２】本発明の第２実施形態のシャワー装置の概略図。
【図３】本発明の第３実施形態のシャワー装置の概略図。
【図４】本発明の第４実施形態のシャワー装置の概略図。
【図５】本発明の第５実施形態のシャワー装置の概略図。
【図６】本発明の第６実施形態のシャワー装置の概略図。
【図７】本発明の第７実施形態のシャワー装置の概略図。
【図８】本発明の第８実施形態のシャワー装置の概略図。
【図９】本発明の第９実施形態のシャワー装置の概略図。
【符号の説明】
【００６５】
１  シャワー装置
２  給湯器
３  マイクロナノバブル発生槽
４  旋回流方式マイクロナノバブル発生機（第２のマイクロナノバブル発生機）
６  循環ポンプ
８  シャワーノズル
１０  回転撹拌方式マイクロナノバブル発生機（第１のマイクロナノバブル発生機）
１１  ブロワー
１３  送出ポンプ
１６  界面活性剤容器
１７  濁度計
２２  リング状ポリ塩化ビニリデン（吸着材）
２７  ひも状ポリ塩化ビニリデン（吸着材）
【図１】
2008104609.tif 000003
【図２】
2008104609.tif 000004
【図３】
2008104609.tif 000005
【図４】
2008104609.tif 000006
【図５】
2008104609.tif 000007
【図６】
2008104609.tif 000008
【図７】
2008104609.tif 000009
【図８】
2008104609.tif 000010
【図９】
2008104609.tif 000011